(57)【要約】      （修正有）【課題】消費者が楽しみながらキャンペーンに参加でき、商品のプロモーションを図りながら、キャンペーン主催者の負担を軽減することができる抽選くじシステムを提供する。【解決手段】抽選くじシステムは、同時に印刷された複数の異なる抽選くじを有する容器包材のロール１から１種の抽選くじ４を有するリール２に裁断され、そのリールから連続的に成形された複数個の抽選くじの１種を有する容器３から、抽選くじの情報を読み取る読取り装置５と、読取られた抽選くじ情報からのネットワークアドレスでネットワーク７を介してアクセスする応募者端末機６と、読取られた抽選くじ情報からのネットワークアドレスを有し、この応募者端末機から読取られた抽選くじ情報の一部若しくは全部を受信し、抽選結果を判断し、該結果を応募者端末に返信するサーバー装置８（１０）と、を備える。【選択図】図１
2005070937.tif 000002
【特許請求の範囲】
【請求項１】
同時に印刷された複数の異なる抽選くじを有する容器包材から成形された該抽選くじを少なくとも１種を有する容器から、該抽選くじの情報を読み取る読取り装置と、読取られた抽選くじ情報からのネットワークアドレスでネットワークを介してアクセスする応募者端末機と、読取られた抽選くじ情報からのネットワークアドレスを有し、この応募者端末機から読取られた抽選くじ情報の一部若しくは全部を受信し、抽選結果を判断し、該結果を応募者端末に返信するサーバー装置と、を備えることを特徴とする抽選くじシステム。
【請求項２】
抽選くじが、２次元バーコードである、請求項１記載の抽選くじシステム。
【請求項３】
抽選くじが、電子透かしである、請求項１記載の抽選くじシステム。
【請求項４】
同時に印刷された複数の異なる２次元バーコード又は／及び電子透かしの抽選くじを有する容器包材から成形された該抽選くじを少なくとも１種を有する容器から、読取り装置で読み取った抽選くじの情報を、読取られた抽選くじ情報からのネットワークアドレスで応募者端末機からのネットワークを介したアクセスを許可するサーバー装置を有し、このサーバー装置が、この応募者端末機から読取られた抽選くじ情報の一部若しくは全部を受信し、抽選結果を判断し、該結果を応募者端末に返信することを特徴とする抽選くじシステム。
【請求項５】
抽選結果が、当選及び／又は外れの場合、当選結果と共にネットワークを介して応募者及び／又は当選者に送信される景品としての音楽データ及び／又はビデオデータである、請求項１〜４記載の抽選くじシステム。
【請求項６】
抽選結果が、当選及び／又は外れの場合、当選結果と共にネットワークを介して応募者及び／又は当選者に送信される景品としての電子クーポンである、請求項１〜４記載の抽選くじシステム。
【発明の詳細な説明】
【技術分野】
【０００１】
本発明は、ネットワークを介したキャンペーン抽選くじに関するものである。
【背景技術】
【０００２】
メーカーの特定商品のプロモーションキャンペーンを行う場合、商品パッケージまたは、商品に添えられたシール等を集めてメーカーに応募することで、応募者全員に、または抽選で一部の当選者に、景品等を与える。
【０００３】
従来のキャンペーンでは、応募者は、応募してから当選か否かの結果がわかるまで、および景品を入手するまで時間がかかる。メーカー（キャンペーン主催者）は、商品のプロモーションを行うことはできても、応募者の個人情報は手作業で入力しない限りデータベース化できない。
【０００４】
上記に対して、即座にキャンペーン主催者が直接的に応募者の個人情報をも収集可能な商品プロモーション手段として、ネットワークを介したキャンペーン抽選くじに関する技術が提案されている。
【０００５】
例えば、複数の異なるバーコードを備え、それらのうち１つを選択することで当りはずれが決定されるバーコード抽選くじである。メーカーは特定商品の購入者にこのバーコード抽選くじを渡すことで、特定商品のプロモーションを行うことができる。キャンペーン応募者は、複数のバーコードから任意に一つ選択するだけなので気軽にキャンペーンに参加できる技術が提案されている。
【特許文献１】特開２００２−２３６０２２０号公報
【発明の開示】
【発明が解決しようとする課題】
【０００６】
バーコード抽選くじには、少なくとも当たりと外れの２種、複数種類の抽選くじを準備しなくてはならない。そのために、バーコード抽選くじは、通常、商品包装自体には直接に印刷されず、複数種類の抽選くじを印刷したシールが商品包装に貼付され、若しくは、応募券が商品に添付される。当選賞品の準備に比べ、そのシール及び応募券の作成費、貼付添付の作業費は廉価ではない。
消費者が楽しみながらキャンペーンに参加でき、商品のプロモーションを図りながら、キャンペーン主催者の負担を軽減することができる抽選くじシステムを提供することを目的とする。
【課題を解決するための手段】
【０００７】
本発明の抽選くじシステムは、同時に印刷された複数の異なる抽選くじを有する容器包材から成形された該抽選くじを少なくとも１種を有する容器から、該抽選くじの情報を読み取る読取り装置と、読取られた抽選くじ情報からのネットワークアドレスでネットワークを介してアクセスする応募者端末機と、読取られた抽選くじ情報からのネットワークアドレスを有し、この応募者端末機から読取られた抽選くじ情報の一部若しくは全部を受信し、抽選結果を判断し、該結果を応募者端末に返信するサーバー装置と、を備えることを特徴とする。
消費者が楽しみながらキャンペーンに参加でき、商品のプロモーションを図りながら、包装容器のデザインの印刷と共に複数の異なる抽選くじを印刷するので、応募のシール及び応募券の作成費及び貼付添付の作業費を削減して、キャンペーン主催者の負担を軽減することができる。
【０００８】
本発明の抽選くじシステムにおける好ましい態様において、抽選くじが２次元バーコードである。
２次元バーコードでは、多くのデータを記録でき、また、１次元バーコードのように目視で判読されることもない。
【０００９】
本発明の抽選くじシステムにおける好ましい態様において、抽選くじが電子透かしである。
電子透かしでは、写真調デザインなどに情報を埋め込むことができるので、商品包装デザインにデザイン上の障害も無く情報を付加することができる。
【００１０】
本発明の抽選くじシステムの別の態様は、同時に印刷された複数の異なる２次元バーコード又は／及び電子透かしの抽選くじを有する容器包材から成形された該抽選くじを少なくとも１種を有する容器から、読取り装置で読み取った抽選くじの情報を、読取られた抽選くじ情報からのネットワークアドレスで応募者端末機からのネットワークを介したアクセスを許可するサーバー装置を有し、このサーバー装置が、この応募者端末機から読取られた抽選くじ情報の一部若しくは全部を受信し、抽選結果を判断し、該結果を応募者端末に返信することを特徴とする。
【００１１】
本発明の抽選くじシステムにおける好ましい態様において、抽選結果が、当選及び／又は外れの場合、当選結果と共にネットワークを介して応募者及び／又は当選者に送信される景品としての音楽データ及び／又はビデオデータである。
応募者は、即時に、抽選結果を知ると共に、そんの賞品を得ることができる。
【００１２】
本発明の抽選くじシステムにおける好ましい態様において、抽選結果が、当選及び／又は外れの場合、当選結果と共にネットワークを介して応募者及び／又は当選者に送信される景品としての電子クーポンである。
応募者は、即時に、抽選結果を知ると共に、そんの賞品を得ることができる。
【発明の効果】
【００１３】
消費者が楽しみながらキャンペーンに参加でき、商品のプロモーションを図りながら、キャンペーン主催者の負担を軽減することができるという利点がある。
【発明を実施するための最良の形態】
【００１４】
以下、本発明の実施の形態について図面を参照しながら詳細に説明する。
【００１５】
図１は、本発明の抽選くじシステムの一実施形態の概念図である。
図１において、本実施形態の抽選くじシステムは、同時に印刷された複数の異なる抽選くじを有する容器包材のロール１から１種の抽選くじを有するリール２に裁断され、そのリールから連続的に成形された複数個の抽選くじ４の１種を有する容器３から、抽選くじの情報を読み取る読取り装置５と、読取られた抽選くじ情報からのネットワークアドレスでネットワーク７を介してアクセスする応募者端末機６と、読取られた抽選くじ情報からのネットワークアドレスを有し、この応募者端末機から読取られた抽選くじ情報の一部若しくは全部を受信し、抽選結果を判断し、該結果を応募者端末に返信するサーバー装置８（１０）と、を備える。
【００１６】
本発明の抽選くじシステムでは、ネットワーク上のサーバーが抽選装置の機能を有するので、販促キャンペーンに必要な、くじの当選判定以外のさまざまな機能、利用可能な各種情報技術を応用することが可能となる。その機能は、キャンペーン応募者の個人情報の収集管理、当選者へのリアルタイムの結果表示と景品（デジタル的なポイント等）の提供処理等である。
本発明の実施の形態におけるサーバー装置は、応募者端末から抽選くじの通し番号を受付けるか、または応募者が読み取った抽選くじのバーコードを復号化した文字数字の一部を抽選くじの通し番号と解釈して、抽選くじの重複使用をチェックする機能を備える。
【００１７】
本発明の抽選くじシステムにおける好ましい態様において、抽選くじが２次元バーコードである。
２次元バーコードは、縦縦方向にデータを記録させてより多くのデータを扱える。２次元バーコードには、１次元のバーコードを積み重ねた「スタック方式」、データの記録されている部分がマス目のパターンで幾何学模様になっている「マトリックス方式２次元バーコード」がある。マトリックス方式の２次元バーコードでは、白黒の正方形ひとつがデジタルデータの「0」や「1」になっている。高い密度でデータを記録しているため、多くのデータを記録する。
【００１８】
本発明の抽選くじシステムにおける好ましい態様において、抽選くじが電子透かしである。
電子透かしは、種々の電子透かし技術を利用して、人間が知覚できない程度に透かし情報を埋め込み、デジタルコンテンツの質を損なわないものである。
【００１９】
本発明の実施の形態における読取り装置５と応募者端末機６とは、２次元バーコードや、印刷されたカラー・デザインに埋め込まれた電子透かしをリーダ５で読み取り、そのデータと他の情報も付加して送受信できる通信端末６である。
【００２０】
本発明の実施の形態におけるサーバー装置１０は、サーバーコンピュータ８と、サーバーコンピュータ５により管理される顧客などのデータベース９を備える。サーバー１０は、抽選くじの当りはずれを判断する抽選装置としての機能も有する。データベース９は、登録顧客の、個人情報（氏名、住所、メールアドレス、年齢、性別など）と獲得ポイント数などの情報が記録される。
【００２１】
ネットワークを介したキャンペーン抽選くじの運用フローの一例を説明する。
同時に印刷された４種の異なる抽選くじを有する容器包材のロール１から１種の抽選くじを有するリール２に裁断する。そのリールから連続的に成形された１種の抽選くじ４のを有する容器３（液体食品が充填された製品）を複数個製造する。
液体食品が充填された製品が、店舗１１に出荷される。顧客１２が、抽選くじ４のプリントされたキャンペーン商品３を購入する。顧客は、応募者端末機（携帯電話やＰＣなど）６のスキャナー５より、抽選くじのアドレスやくじ情報を読取らせ、インターネット７を介してサーバー１０にアクセスする。サーバー１０は、例えば、会員ＩＤ番号の入力を促し、未登録者には登録を促すページ画面を表示する。ここで応募者は、未登録ならば必要な個人情報を入力して会員登録する。登録会員であるならば自分のＩＤ番号を入力する。
【００２２】
サーバー１０は、受信した抽選くじ情報から、抽選くじＩＤを抽出して、過去に同じＩＤのくじの応募が無かったかどうかを抽選くじ使用記録テーブルを参照してチェックする。もし、重複応募であることが判明した場合は、エラーメッセージを表示して処理を終了する。重複応募でなければ、その抽選くじＩＤを使用したことを前記抽選くじ使用記録テーブルに記録し、次に、当選テーブルを参照し、当りくじかどうかを判定する。外れの場合は、外れメッセージを表示させて終了する。当りの場合は、当りメッセージを表示させて、当り内容に応じた処置を行う。
【００２３】
この抽選くじシステムにおいて、抽選結果が、当選及び／又は外れの場合、当選結果と共にネットワークを介して応募者及び／又は当選者に送信される景品としての音楽データ及び／又はビデオデータ及び／又は電子クーポンである。
【００２４】
本発明の抽選くじシステムの別の実施形態は、図２に示すように、同時に印刷された複数の異なる２次元バーコード又は／及び電子透かしの抽選くじを有する容器包材から成形されたその抽選くじを少なくとも１種を有する容器から、読取り装置５で読み取った抽選くじの情報を、読取られた抽選くじ情報からのネットワークアドレスで多数の応募者端末機６からのネットワーク７を介したアクセスを許可するサーバー装置１０を有し、このサーバー装置１０が、この応募者端末機６から読取られた抽選くじ情報の一部若しくは全部を受信し、抽選結果を判断し、結果を応募者端末６に返信する。
この実施形態では、キャンペーン請負会社のサバー１０には、サーバーコンピュータの他、顧客などに関するデータベース９と、キャンペーン主催者のテーブル及び景品である音楽やビデオに関するデータベース１２とが接続されている。サーバにおいて、上述の機能のほか、キャンペーン主催の申し込み、キャンペーン商品の選定、キャンペーン賞品の選定等も行う。
【００２５】
サーバ１０は、ネットワーク７などを介して、メーカーや販売会社からキャンペーンの申し込みを受付ける。キャンペーン商品が選定されると、包装材料のサーバ１４にアクセスし、包材印刷サバー１５を介して、容器包材に複数の異なる２次元バーコード又は／及び電子透かしの抽選くじ印刷する。
他方、サーバ１０は、ネットワーク７などを介して、ダウンロードサーバ１３にアクセスし、管理サーバ１６に接続されている音楽データベース１７、動画データベース１８及び電子クーポンデータベース１９とのダウンロード設定を行う。
キャンペーン開始後は、このサーバー装置１０が、この応募者端末機６から読取られた抽選くじ情報の一部若しくは全部を受信し、抽選結果を判断し、音楽データベース１７、動画データベース１８及び／又は電子クーポンデータベース１９からデータを結果として応募者端末６にダウンロード返信する。
【００２６】
なお、本発明は前記実施の形態に限定されるものではなく、本発明の趣旨に基づいて種々変形させることが可能であり、それらを本発明の範囲から排除するものではない。
【産業上の利用可能性】
【００２７】
包装材料は、例えば、ジュース等の液体食品の包装商品に対するネットワークを介した広告宣伝に適用することができる。
【図面の簡単な説明】
【００２８】
【図１】本発明の抽選くじシステムの一実施形態の概念図である。
【図２】本発明の抽選くじシステムの別の実施形態の概念図である。
【符号の説明】
【００２９】
１    ロール
２    リール
３    容器
４    抽選くじ
５    読取り装置
６    応募者端末機
５    抽選くじ
７    ネットワーク
８    サーバー装置
１０  サーバー
【図１】
2005070937.tif 000003
【図２】
2005070937.tif 000004